(57)【要約】      （修正有）【課題】金員を入れる作業が水引を取らずに容易に行える金封でありながらも、本来の折り方をした金封と同様の外観が得られるようにする金封を提供する。【解決手段】折り曲げ線で折りたたんで封筒形に形成されて開閉可能な開閉フラップを上端に有する金封本体２１と、金封本体２１の上下方向の中間部に装着される偏平な環状部３２を有する水引３１を備える。金封本体２１の表面の左側部に、多当折の金封とした場合に表面に現れる縁取り部をあらわす擬似縁取り線２７を印刷する。擬似縁取り線２７は金封本体２１の裏面側にかけて延ばす。【選択図】図１
0003194152.tif 000002
【実用新案登録請求の範囲】
【請求項１】
折り曲げ線で折りたたんで封筒形に形成されて開閉可能な開閉フラップを上下方向の一端に有する金封本体と、
該金封本体の上下方向の中間部に装着される偏平な環状部を有する水引を備え、
前記金封本体の表面の左側部に、多当折または関西折の金封とした場合に表面に現れる縁取り部をあらわす擬似縁取り線が印刷された
金封。
【請求項２】
前記擬似縁取り線の両端部が、前記金封本体の前記表面を囲む前記折り曲げ線を越える位置まで延長された
請求項１に記載の金封。
【請求項３】
前記金封本体が、前記表面を形成し四方に前記折り曲げ線を有する長方形状の表面部と、該表面部の左右両側に形成され先端同士が接合されたときに前記金封本体の裏面を形成する裏面部担体と、前記表面部の上下方向の他端に形成され折り返したときに前記裏面部担体に接合する閉鎖フラップと、前記表面部の上下方向の一端に形成された前記開閉フラップを有する
請求項１または請求項２に記載の金封。
【請求項４】
前記擬似縁取り線が、多当折の金封をあらわすものであり、前記金封本体の前記表面の左端から内側に寄った位置で上下方向に延びる直線である
請求項１から請求項３のうちいずれか一項に記載の金封。
【請求項５】
前記開閉フラップの先端に、前記水引の前記環状部を越える位置まで延びる延長部が形成された
請求項１から請求項４のうちいずれか一項に記載の金封。
【請求項６】
前記金封本体の裏面の前記開閉フラップ側の部分に、前記開閉フラップの閉鎖状態を保持する接着剤層と、該接着剤層を被覆する離型シートを備えた
請求項１から請求項５のうちいずれか一項に記載の金封。
【考案の詳細な説明】
【技術分野】
【０００１】
この考案は、水引があしらわれた金封に関し、より詳しくは、金員を納める作業が容易であるような金封に関する。
【背景技術】
【０００２】
水引がかかっている金封は、慣れないと金員を納める作業が難しい。不慣れない手つきで金封や水引を触ったり、金員の入れ忘れがないか否か確認したりしているうちに金封や水引を棄損してしまうこともある。
【０００３】
このため、例えば下記特許文献１に開示されているように、水引を外さなくても金員を入れられる金封が提案されている。
【０００４】
この金封は、略長方形のシートを折りたたんで上端が開口したポケットを有する袋状に形成されたもので、水引がかけられ、上端にはポケットを塞ぐ舌片を有している。また、金封の表面に現れる上表紙部の端縁に、その長さ方向に沿って、祝儀用では赤、不祝儀用では黒の飾り線が表示されている。この飾り線は、多当折の金封とした場合に表面に現れる縁取り部のような外観を持たせようとするものである。
【０００５】
このような構成の金封は、水引を備えているが、上端のポケットから金員を入れればよいので、水引を外さずとも簡単に金員を納めることができる。
【０００６】
しかし、飾り線を有する部分は金封を構成するシートのなかの表面に位置する１枚のシート状部分における端縁の端から端までである。
【０００７】
このため、飾り線は一見、多当折の金封のような外観を表現できるものの、飾り線は表面のシート状部分の端縁の端から端まで形成されており、表面のシート状部分の角部分は、浮き上がったり捲れ上がったり変形する。このため、特許文献１のような構成の金封は、本来の折り方をした金封の外観からかけ離れたものになりやすい。
【先行技術文献】
【特許文献】
【０００８】
【特許文献１】登録実用新案第３０９３８２２号公報
【考案の概要】
【考案が解決しようとする課題】
【０００９】
そこで、この考案は、金員を入れる作業が容易に行える金封でありながらも、本来の折り方をした金封と同様の外観が得られるようにすることを主な目的とする。
【課題を解決するための手段】
【００１０】
そのための手段は、折り曲げ線で折りたたんで封筒形に形成されて開閉可能な開閉フラップを上下方向の一端に有する金封本体と、該金封本体の上下方向の中間部に装着される偏平な環状部を有する水引を備え、前記金封本体の表面の左側部に、多当折または関西折の金封とした場合に表面に現れる縁取り部をあらわす擬似縁取り線が印刷された金封である。
【００１１】
多当折は、東京折とも呼ばれ、左側縁部に上下方向に１本の縁取り部が現れる折り方である。関西折りは、大阪折とも呼ばれ、左側下端部と左側上端部に斜めに延びる縁取り部がそれぞれ１本ずつ現れる折り方である。
【００１２】
金封本体に金員を入れるには、水引をかけた状態のまま、開閉フラップを開けて金員を挿入し、開閉フラップを閉じる。開閉フラップ部分を開口する際には、水引の環状部部分を、金封の幅方向で圧縮するようにして開口を広げると、開きが規制され、金封本体の過剰な変形や局部的な変形が抑制される。そして、金封本体の表面に印刷された擬似縁取り線は、封筒型をなす金封本体の、シート状部分の端縁ではない面上の一部にあるので、擬似縁取り線は金封本体の変形に合わせて変形することはあっても、端部が捲れ上がったりするような変形が起きることはない。
【考案の効果】
【００１３】
この考案によれば、金員を入れる作業が容易に行える金封である上に、不自然な変形が起きない擬似縁取り線を有する構成としたので、本来の折り方をした金封と同様の外観が得られる。また、擬似縁取り線は印刷で設けるので、製造は容易である。
【図面の簡単な説明】
【００１４】
【図１】金封の正面図。
【図２】金封の背面図。
【図３】金封本体の展開状態の表面図。
【図４】金封本体の展開状態の裏面図。
【図５】金封本体の裏面の上部の構造を示す背面図。
【図６】金員を入れるときの状態を示す斜視図。
【図７】金封の要部を示す斜視図。
【図８】他の例に係る金封本体の展開状態の表面図。
【図９】他の例に係る金封の背面図。
【図１０】他の例に係る金封の背面図。
【考案を実施するための形態】
【００１５】
この考案は、金員を入れる作業が容易でありながらも、本来の折り方をした通常の金封と同様の外観が得られるようにするという目的を、折り曲げ線で折りたたんで封筒形に形成されて開閉可能な開閉フラップを上下方向の一端に有する金封本体と、この金封本体の上下方向の中間部に装着される偏平な環状部を有する水引を備え、金封本体の表面の左側部に、多当折または関西折の金封とした場合に表面に現れる縁取り部をあらわす擬似縁取り線を印刷するという構成にて実現した。
【００１６】
前記擬似縁取り線については、その両端部が、前記金封本体の前記表面を囲む前記折り曲げ線を越える位置まで延長されるとよい。折り曲げ線を越えて延びる延長部分の存在によって、擬似縁取り線は端面側からでも視認でき、途切れた印象を与えずに、本来の折り方をした金封に酷似した外観を得られる。また、擬似縁取り線は延長部分を有するので、たとえば打ち抜きに際して多少の位置ずれがあっても、その誤差を吸収して、たとえば金封本体の表面で擬似縁取り線が途絶えたりするような不都合の発生を皆無にできる。
【００１７】
前記金封本体は、前記表面を形成し四方に前記折り曲げ線を有する長方形状の表面部と、該表面部の左右両側に形成され先端同士が接合されたときに前記金封本体の裏面を形成する裏面部担体と、前記表面部の上下方向の他端に形成され折り返したときに前記裏面部担体に接合する閉鎖フラップと、前記表面部の上下方向の一端に形成された前記開閉フラップを有するものであるとよい。金封本体を構成する各部によって、折り方が簡単になるとともに、必要な材料を少なくする。このため、製造に際して既存の機械で折りたたんで形成でき、歩留まりもよく、製造コストを低減できる。
【００１８】
前記擬似縁取り線は、多当折の金封をあらわすものであり、前記金封本体の前記表面の左端から内側に寄った位置で上下方向に延びる直線からなる金封であってもよい。擬似縁取り線のための印刷は、一定方向に延びる直線状に行えばよいので、印刷パターンの単純化を図ることができる。また、擬似縁取り線は金封本体の表面の左端から内側に寄った位置に形成されるので、金封本体の表面の左端と擬似縁取り線との間の空白部分が、印刷位置や打ち抜き位置の誤差を吸収する機能も果たす。このため、不良の発生を抑制できる。
【００１９】
前記開閉フラップの先端に、前記水引の前記環状部を越える位置まで延びる延長部が形成された金封であってもよい。祝儀袋として用いられる金封の場合には、下端に開閉フラップを設けることで、延長部を水引の環状部に下から通して開閉フラップの閉鎖状態を保持する。不祝儀袋として用いられる金封の場合には、上端に開閉フラップを設けることで、延長部を水引の環状部に上から通して開閉フラップの閉鎖状態を保持する。接着せずとも閉鎖状態を保持できるとともに、祝儀袋、不祝儀袋の折り畳み方まで、本来の折り方をした金封に似せることができる。
【００２０】
前記金封本体の裏面の前記開閉フラップ側の部分に、前記フラップの閉鎖状態を保持する接着剤層と、該接着剤層を被覆する離型シートを備えた金封であってもよい。離形シートを剥がして開閉フラップを合わせるだけで簡単に閉鎖することができるとともに、閉鎖状態を接着力によって確保できる。
【００２１】
以下、この考案を実施するための一形態を、図面を用いて説明する。  
図１は金封１１の正面図、図２は金封１１の背面図であり、これらの図に示すように、金封１１は、封筒形に形成された金封本体２１と、これに装着された水引３１を有する。
【００２２】
金封本体２１は、開閉可能な開閉フラップ２２を上下方向の一端、この例では上端に有する封筒形であり、所定形状に裁断された紙製のシート材２１ａを折りたたんで貼り合せて形成される。図３はシート材２１ａの展開状態の表面図、図４はその裏面図である。
【００２３】
シート材２１ａは、金封本体２１の表面を形成し四方に折り曲げ線２１ｂ，２１ｃ，２１ｄ，２１ｅを有する長方形の表面部２３と、この表面部２３の左右両側に形成され先端同士が接合されたときに金封本体２１の裏面を形成する裏面部担体２４，２５と、表面部２３の上下方向の他端、つまり下端に形成され折り返したときに裏面部担体２４，２５に接合する閉鎖フラップ２６と、表面部２３の上下方向の一端、つまり上端に形成された前述の開閉フラップ２２を有する。
【００２４】
開閉フラップ２２は、表面部２３の上下方向の長さの半分よりも短い長さである。具体的には、金封１１にして閉鎖したときに水引３１の環状部３２に達しない長さである。
【００２５】
図３中、一点鎖線は山折り線、図４中、破線は谷折り線である。
【００２６】
裏面部担体２４，２５と閉鎖フラップ２６と開閉フラップ２２は、略長方形である。具体的には短辺が折り曲げ線２１ｂ，２１ｃ，２１ｄ，２１ｅから離れるほどわずかに内方に傾く等脚台形状である。
【００２７】
そして、金封本体２１の表面の左側部に相当する部位に、多当折または関西折の金封１１とした場合に表面に現れる縁取り部をあらわす擬似縁取り線２７が印刷されている。この例では、多当折とした場合に表面に現れる縁取り部をあらわす擬似縁取り線２７を有する例を示す。
【００２８】
つまり、擬似縁取り線２７は、金封本体２１の表面の左端、換言すれば表面部２３の左端の折り曲げ線２１ｂから空白部２８を隔てて内側に寄った位置において上下方向に延びる直線である。折り曲げ線２１ｂからの位置、擬似縁取り線２７の太さは適宜設定される。
【００２９】
擬似縁取り線２７は、両端部が、金封本体２１の表面、つまり表面部２３を囲む折り曲げ線２１ｂ，２１ｃ，２１ｄ，２１ｅを越える位置まで延長されている。この例では、擬似縁取り線２７は、図３に示したように、表面部２３の上下方向の全体と、この上下の折り曲げ線２１ｄ，２１ｅの線上と、表面部２３の上下に設けられた開閉フラップ２２と閉鎖フラップ２６の端まで、該当位置の上下方向の全体にわたって一定幅の直線状に設けられている。
【００３０】
擬似縁取り線の色は、金封の用途応じて、黒色、赤色、黄色に設定できる。
【００３１】
このようなシート材２１ａは、１枚の基材シート（図示せず）からトムソン加工で複数取りして得る。擬似縁取り線２７はトムソン加工前に基材シートに印刷される。図示は省略するが、基材シートに対して擬似縁取り線２７となる線を、複数本あらかじめ平行に印刷しておき、トムソン加工を行う。得られたシート材２１ａは、封筒を製造する既存の装置を用いて折りたたみ、接着をして、金封本体２１となる。
【００３２】
水引３１は、図１に示したように、金封本体２１の上下方向の中間部に装着される偏平な環状部３２と、この環状部３２と一体で適宜形状の結び部３３を有する。水引は用途に応じて周知のとおり色分けされている。
【００３３】
金封１１が祝儀用のものである場合には、金封本体２１の表面部に、のし（図示せず）を貼り付けや印刷によって形成する。
【００３４】
また、金封本体２１の裏面の開閉フラップ２２側の部分、つまり上端部には、図５に示したように、開閉フラップ２２の閉鎖状態を保持する接着剤層４１と、この接着剤層４１を被覆する離型シート４２を備えている。接着剤層４１は細幅帯状に形成され、これよりも一回り大きい離型シート４２が貼り付けられている。
【００３５】
以上のような構成の金封１１は、次のようにして使用される。
【００３６】
図６に示したように、水引３１をかけた状態のまま開閉フラップ２２を開いて水引３１の環状部３２部分を、金封１１の幅方向で圧縮するようにして開口１１ａを広げる。このとき、開口１１ａの開きは環状部３２によって規制され、金員を入れるに必要最小の開口１１ａがきれいにできる。開口１１ａを開くときに水引３１の環状部３２の存在によって金封本体２１の一部に過剰な変形や局部的な変形が起きるなどの偏りがないので、金封本体２１に皺を付けてしまったりするおそれはなく、美麗な状態を維持できる。
【００３７】
開いた開口１１ａから金員を入れたのち、手を離すと、水引３１の環状部３２の保形力によって開口１１ａは自然に閉じる。このあと、離形シート４２を剥がして開閉フラップ２２を接着剤層４１に貼り付ければ、閉鎖状態が接着力によって強力に維持される。離型シート４２は接着剤層４１よりも一回り大きいので剥がす作業が容易で、一連の貼り付け作業は極めて簡単である。
【００３８】
そして、金封本体２１の表面に印刷された擬似縁取り線２７は、封筒型をなす金封本体２１の表面の一部、つまりシート状部分の端縁ではない面上の一部にあるので、金員の挿入時と挿入後に金封本体２１の変形に合わせて変形することはあっても、シート状部分の端縁に飾り線を表示した場合とことなり、擬似縁取り線２７の端部が浮いたり捲れ上がったりするような変形が起きることはなく、擬似縁取り線２７の外観を維持できる。
【００３９】
以上のように、水引３１を外さずに開閉フラップ２２を開けて金員を入れればよいので、金員の挿入作業が容易である。しかも、その作業に際して金封本体２１に大きな変形は要であるため、金封本体に皺ができたりすることも回避して美麗な外観を維持できる。
【００４０】
そのうえ、金員の挿入時も挿入後も、擬似縁取り線２７に不自然な変形は起こらず、擬似縁取り線２７の機能、つまり多当折または関西折の金封とした場合に表面に現れる縁取り部をあらわすという機能を十分に発揮することができる。このため、本来の折り方をした金封１１と同様の外観が得られる。
【００４１】
擬似縁取り線２７は、その両端部が、金封本体２１の表面の上下両端の折り曲げ線２１ｄ，２１ｅを越える長さであるので、図７に示したように、折り曲げ線２１ｄ，２１ｅを越えて延びる延長部分２７ａの存在によって、擬似縁取り線２７は端面側からでも視認できる状態である。このため、擬似縁取り線２７が途切れたような印象は生じず、本来の折り方をした金封１１に酷似した外観を得られる。よって、金封１１を受け取った側が安っぽい印象を抱くことはなく、略式ながらも丁寧な印象を与えることができる。
【００４２】
また、擬似縁取り線２７は延長部分２７ａを有するので、金封本体２１の製造に際して、擬似縁取り線２７となる線を印刷したのちトムソン加工をするときでも、印刷位置や打ち抜き位置に誤差が生じても、その誤差を吸収することができる。このため、金封本体２１の表面で擬似縁取り線２７が途絶えたりするような不良の発生を回避できる。
【００４３】
さらに、金封本体２１の表面の左端と擬似縁取り線２７との間には空白部分２８を設けているので、この空白部分２８によっても、印刷位置や打ち抜き位置の誤差を吸収する機能も果たすことができる。このため、この点からも不良の発生を更に抑制できる。
【００４４】
加えて、擬似縁取り線２７はシート材２１ａの該当位置の上下方向の全体にわたって設けられているので、擬似縁取り線２７のための印刷は、一定方向に延びる直線状に行えばよい。このため、金封本体２１を得るための基材シートに対する印刷パターンは簡素でよく、かすれなどの不良のない美麗な印刷が容易に行える。
【００４５】
金封本体２１は、四方に折り曲げ線２１ｂ，２１ｃ，２１ｄ，２１ｅを有する長方形状の表面部２３と、これを取り囲むように裏面部担体２４，２５と、閉鎖フラップ２６と、開閉フラップ２２を有する構造であるので、折り方が簡単であるとともに、もととなるシート材２１ａの面積を小さくすることができる。その上、この形状のシート材２１ａは、既存の機械で折りたたむこともでき、歩留まりがよい形状でもあるので、製造コストを低減できる。
【００４６】
以下、他の例について説明する。この説明において、前述と同一又は類似する部位については同一の符号を付してその詳しい説明を省略する。
【００４７】
図８は、他の例に係る金封１１の金封本体２１の展開状態を示す表面図である。この金封本体２１は、関西折の金封とした場合に表面に現れる縁取り部をあらわす擬似縁取り線２７を有している。すなわち、金封本体２１を構成するシート材２１ａの形状は前述と同一で、擬似縁取り線２７を左上部と左下部に、それぞれ１本ずつ同一幅の直線状に形成している。これら２本の擬似縁取り線２７は、延長させて交差させると直交する角度である。
【００４８】
擬似縁取り線２７は、シート材２１ａの表面部２３から、表面部２３を囲む折り曲げ線２１ｂ，２１ｄ，２１ｅの線上と、表面部２３に隣接する部分（一方の裏面部担体２５、閉鎖フラップ２６、開閉フラップ２２）の一部に至る長さである。折り曲げ線２１ｂ，２１ｄ，２１ｅを越える長さは適宜設定できる。
【００４９】
このような構成のシート材２１ａを用いて製造した金封１１では、前述と同様の作用効果を得られる。
【００５０】
図９、図１０は、他の例に係る金封１１の背面図である。これらの金封１１は、開閉フラップ２２の先端に、水引３１の環状部３２を越える位置まで延びる延長部２２ａが形成された金封１１である。延長部２２ａは方形状で、可能な限り幅広にするのが望ましい。
【００５１】
図９に示した金封１１は、不祝儀袋として用いられる金封１１であって、金封本体２１の上端に開閉フラップ２２を設けている。これによって延長部２２ａは、上から下に延びることになる。金員を入れる前の販売時は、延長部２２ａを水引３１の環状部３２の下に上方から通して開閉フラップ２２の閉鎖状態を保持しておく。金員を入れるときには、延長部２２ａを水引３１の環状部３２の下から抜いて、開閉フラップ２２を開けて金員を入れてから、延長部２２ａを水引３１の環状部３２の下に差し込んで元の状態に戻す。すると、接着剤を用いずとも開閉フラップ２２の閉鎖状態を保持でき、ごみが出ず、金員を入れる作業性が良いうえに、金員を受け取る側にとっても、ごみが出ず、作業性がよい。
【００５２】
図１０に示した金封１１は、祝儀袋として用いられる金封１１であって、金封本体２１の下端に開閉フラップ２２を設けている。これによって延長部２２ａは、下から上に延びることになる。金員を入れる前の販売時は、延長部２２ａを水引３１の環状部３２の下に下方から通して開閉フラップ２２の閉鎖状態を保持しておく。金員を入れるときには、延長部２２ａを水引３１の環状部３２の下から抜いて、開閉フラップ２２を開けて金員を入れてから、延長部２２ａを水引３１の環状部３２の下に差し込んで元の状態に戻す。接着剤を用いずとも開閉フラップの閉鎖状態を保持でき、ごみが出ず、金員を入れる作業性がよいうえに、金員を受け取る側にとっても、ごみが出ず、作業性がよい。
【００５３】
このような構成の金封１１では、祝儀袋、不祝儀袋の折り畳み方まで、本来の折り方をした金封に似せることができる。このため、構成の簡素化、取扱いの簡単化を図りながらも、金封が本来の持つ意義を最大限に表現することができる金封１１となる。
【００５４】
以上の構成はこの考案を実施するための一形態であって、その他の構成を採用することもできる。
【００５５】
例えば、接着剤層を省略してもよく、この場合には封かんのためのシールを添付してもよい。
また、金封本体の折り方は、前述したもの以外でもよく、たとえば裏面にあらわれる合わせ目を端に寄せることができる。
【符号の説明】
【００５６】
１１…金封
２１…金封本体
２１ｂ，２１ｃ，２１ｄ，２１ｅ…折り曲げ線
２２…開閉フラップ
２３…表面部
２４，２５…裏面部担体
２６…閉鎖フラップ
２７…擬似縁取り線
３１…水引
３２…環状部
４１…接着剤層
４２…離型シート
【図１】
0003194152.tif 000003
【図２】
0003194152.tif 000004
【図３】
0003194152.tif 000005
【図４】
0003194152.tif 000006
【図５】
0003194152.tif 000007
【図６】
0003194152.tif 000008
【図７】
0003194152.tif 000009
【図８】
0003194152.tif 000010
【図９】
0003194152.tif 000011
【図１０】
0003194152.tif 000012